【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
一用量のガス状の、ガス中のまたは液滴状の物質を物質源から分配するためのディスペンサであって、
物質源を受けるための本体であって、マウスピースを有する、本体と、
前記本体の長手方向軸で移動するために前記本体内にスライド可能に配置され、物質源から一用量の物質を解放させる接合部材であって、物質源の注出口を受けるためのソケットを備える、接合部材と、
前記接合部材を前記本体の長手方向で移動させ、物質源から一用量の物質を解放させるためのディスペンサ駆動体であって、回動シャフト及び前記回動シャフトに配置されたカムを備え、当該ディスペンサ駆動体が、前記本体内に配設されており、それにより、前記回動シャフトの回転が前記カムを回転させて力を前記接合部材にかけさせ、そのため、前記接合部材を前記長手方向軸で移動させる、ディスペンサ駆動体と、
前記本体内にスライド可能に配設されたカムフォロワであって、基部及び前記基部から延在する十分に硬質な突出部を備え、前記突出部が、前記ディスペンサ駆動体と前記接合部材との間に配設されており、それにより、前記ディスペンサ駆動体の前記カムによって前記突出部にかけられた力が、前記カムフォロワを前記本体の前記長手方向でスライド可能に移動させて力を前記接合部材にかけさせ、そのため、一用量の物質を物質源から解放させる、カムフォロワと、
前記本体と係合可能な下側開口端部と上側開口端部であって当該上側開口端部を閉塞するためのキャップ閉塞デバイスを受けるための上側開口端部とを有する中空本体を備えるディスペンサキャップであって、前記上側開口端部が、係合可能部分を備える、ディスペンサキャップと、
キャップ閉塞デバイスであって、
前記ディスペンサキャップの前記上側開口端部と係合し、前記ディスペンサキャップの前記上側開口端部を閉塞するための上側キャップ閉塞部分と、
前記係合可能部分と係合し、前記キャップ閉塞デバイスを前記ディスペンサキャップに固定するための下側キャップ閉塞部分と、
前記上側キャップ閉塞部分及び前記下側キャップ閉塞部分を接続する双安定部分であって、当該双安定部分を伸長させる第１安定形態と当該双安定部分を折り畳む第２安定形態との間で切り替え可能である、双安定部分と、
を備え、
前記双安定部分が前記第２安定形態にあるときに、前記上側キャップ閉塞部分が、前記ディスペンサキャップの前記上側開口端部と係合し、前記ディスペンサキャップを閉塞する、キャップ閉塞デバイスと、
物質源から分配された用量数に対応する当該ディスペンサの作動回数、または、物質源内に残存する用量数を表示するための用量カウンタであって、
第１印を有し、インクリメントごとに前記長手方向軸回りに回転可能な第１リング部材であって、前記第１印が計数を表示する、第１リング部材と、
規制機構を備える規制部材と、
を備え、
前記規制機構が、前記第１リング部材に対して径方向で作用するように構成された係合部分を備え、前記第１リング部材に接触して前記第１リング部材が前記規制部材に対して前記軸回りに自由に回転することを規制する、用量カウンタと、
を備えることを特徴とするディスペンサ。
【請求項２】
前記係合部分が、前記第１リング部材の内周面に接触するように構成された１以上の歯、好ましくは１以上の三角形状のまたはラチェット形状の歯を備えることを特徴とする請求項１に記載のディスペンサ。
【請求項３】
前記第１リング部材が、前記規制部材の前記係合部分と協働するように構成された係合部分を備え、前記第１リング部材に接触して前記第１リング部材が前記規制部材に対して前記軸回りに自由に回転することを規制することを特徴とする請求項１または２に記載のディスペンサ。
【請求項４】
前記第１リング部材にある前記係合部分が、当該第１リング部材の内周面にある複数の歯、好ましくはラチェット歯を備えることを特徴とする請求項３に記載のディスペンサ。
【請求項５】
前記規制機構が、案内部を備え、
前記案内部が、固定関係にあり、前記規制部材の前記係合部分から間隔をあけた腕部を備え、
前記案内部が、前記規制部材の前記係合部分が前記第１リング部材と接触したままとなるように前記第１リング部材を好ましくは外周面に接触するように構成されていることを特徴とする請求項１から４のいずれか１項に記載のディスペンサ。
【請求項６】
前記規制機構が、固定端部と自由端部とを有する基部に支持されており、
前記固定端部が、前記規制部材に連結され、
前記自由端部が、前記規制部材から自由であり、
前記基部が、前記自由端部が前記第１リング部材に対して径方向で移動可能なように前記固定端部において可撓性を有し、
前記規制部材の前記係合部分が、好ましくは前記基部の前記自由端部に位置することを特徴とする請求項１から５のいずれか１項に記載のディスペンサ。
【請求項７】
前記規制部材が、前記第１リング部材と同じ軸回りで同軸に配置された規制リング部材を備え、
好ましくは、前記規制リング部材が、当該規制リング部材の前記軸回りでの回転を防止することに関して、前記ディスペンサキャップの前記中空本体内にある対応する形状の突出部と係合するために、上側周面に配設された１以上の位置付け凹所を備えることを特徴とする請求項１から６のいずれか１項に記載のディスペンサ。
【請求項８】
前記規制機構が、前記第１リング部材の順計数方向において前記第１リング部材に摩擦抵抗を付与し、反計数方向での前記第１リング部材の移動を防止するように構成されていることを特徴とする請求項１から７のいずれか１項に記載のディスペンサ。
【請求項９】
一用量のガス状の、ガス中のまたは液滴状の物質を物質源から分配するためのディスペンサであって、
物質源を受けるための本体であって、マウスピースを有する、本体と、
前記本体の長手方向軸で移動するために前記本体内にスライド可能に配置され、物質源から一用量の物質を解放させる接合部材であって、物質源の注出口を受けるためのソケットを備える、接合部材と、
前記接合部材を前記本体の長手方向で移動させ、物質源から一用量の物質を解放させるためのディスペンサ駆動体であって、回動シャフト及び前記回動シャフトに配置されたカムを備え、当該ディスペンサ駆動体が、前記本体内に配設されており、それにより、前記回動シャフトの回転が前記カムを回転させて力を前記接合部材にかけさせ、そのため、前記接合部材を前記長手方向軸で移動させる、ディスペンサ駆動体と、
前記本体内にスライド可能に配設されたカムフォロワであって、基部及び前記基部から延在する十分に硬質な突出部を備え、前記突出部が、前記ディスペンサ駆動体と前記接合部材との間に配設されており、それにより、前記ディスペンサ駆動体の前記カムによって前記突出部にかけられた力が、前記カムフォロワを前記本体の前記長手方向でスライド可能に移動させて力を前記接合部材にかけさせ、そのため、一用量の物質を物質源から解放させる、カムフォロワと、
前記本体と係合可能な下側開口端部と上側開口端部であって当該上側開口端部を閉塞するためのキャップ閉塞デバイスを受けるための上側開口端部とを有する中空本体を備えるディスペンサキャップであって、前記上側開口端部が、係合可能部分を備える、ディスペンサキャップと、
キャップ閉塞デバイスであって、
前記ディスペンサキャップの前記上側開口端部と係合し、前記ディスペンサキャップの前記上側開口端部を閉塞するための上側キャップ閉塞部分と、
前記係合可能部分と係合し、前記キャップ閉塞デバイスを前記ディスペンサキャップに固定するための下側キャップ閉塞部分と、
前記上側キャップ閉塞部分及び前記下側キャップ閉塞部分を接続する双安定部分であって、当該双安定部分を伸長させる第１安定形態と当該双安定部分を折り畳む第２安定形態との間で切り替え可能である、双安定部分と、
を備え、
前記双安定部分が前記第２安定形態にあるときに、前記上側キャップ閉塞部分が、前記ディスペンサキャップの前記上側開口端部と係合し、前記ディスペンサキャップを閉塞する、キャップ閉塞デバイスと、
を備えることを特徴とするディスペンサ。
【請求項１０】
前記本体が、前記長手方向軸での前記カムフォロワの前記基部のスライド可能な運動を案内するための案内部を備え、
前記案内部が、スライド可能な係合で前記カムフォロワの前記基部を受けるように形付けられており、
好ましくは、前記案内部が、前記カムフォロワの前記基部にある１以上の案内レールと協働するように配設されかつ構成された１以上の案内レールを備え、それにより、前記カムフォロワが、前記本体内でスライド可能であることを特徴とする請求項１から９のいずれか１項に記載のディスペンサ。
【請求項１１】
前記カムフォロワが、前記本体内の対応して形付けられた突出部と係合するために前記基部の下縁部に配設された弾性変形可能なクリップをさらに備え、
前記クリップが前記突出部と係合すると、前記カムによって力が前記カムフォロワにかかるまで、前記カムフォロワが、前記本体内の長手方向位置で保持されることを特徴とする請求項１から１０のいずれか１項に記載のディスペンサ。
【請求項１２】
前記キャップ閉塞デバイスの前記双安定部分が、
前記上側キャップ閉塞部分に接続された十分に硬質な硬質隔離部と、
第１及び第２端部を有する弾性変形可能隔離部であって、前記第１端部が弾性変形可能接合体を介して前記硬質隔離部に接続されており、前記第２端部が弾性変形可能接合体を介して前記下側キャップ閉塞部分に接続されている、弾性変形可能隔離部と、
を備え、
前記弾性変形可能隔離部が、前記上側キャップ閉塞部分及び前記下側キャップ閉塞部分に力をかけると弾性変形するように構成されており、それにより、当該ディスペンサのキャップ閉塞デバイスを前記第１安定形態と前記第２安定形態との間で変化させることを可能とし、
好ましくは、前記硬質隔離部の外面と前記弾性変形可能隔離部との間に画成される角度が、前記第２安定形態にあるときに鋭角であり、前記第１安定形態にあるときに鈍角であることを特徴とする請求項１から１１のいずれか１項に記載のディスペンサ。
【請求項１３】
前記下側キャップ閉塞部分が、径方向外側に延在する複数の突出部を備え、前記突出部が、前記ディスペンサキャップの前記係合可能部分と係合するための上面を有しており、
前記下側キャップ閉塞部分の下面が、当該ディスペンサ内に受けられると物質源の表面と係合可能であることを特徴とする請求項１から１２のいずれか１項に記載のディスペンサ。
【請求項１４】
前記ディスペンサキャップの前記係合可能部分が、傾斜部分を備え、
前記傾斜部分及び前記下側キャップ閉塞部分の前記突出部が、前記キャップ閉塞デバイスの回転によって、複数の前記突出部の前記上面を前記傾斜部分に沿って進ませるように構成されており、それにより、前記キャップ閉塞デバイスを前記ディスペンサキャップ内へさらに引き入れ、好ましくは、当該ディスペンサ内に受けられると、前記下側キャップ閉塞部分の前記下面が物質源へ押し下げられることを特徴とする請求項１３に記載のディスペンサ。
【請求項１５】
前記傾斜部分が、前記ディスペンサキャップの縁部の全周にわたって複数の傾斜部分を備え、
複数の前記傾斜部分が、前記キャップ閉塞デバイスの前記下側キャップ閉塞部分にある複数の前記突出部の数に等しく、
前記傾斜部分が、好ましくは、所定幅を有する間隙によって互いに離間しており、
前記所定幅が、前記下側キャップ閉塞部分の前記突出部の幅以上であることを特徴とする請求項１４に記載のディスペンサ。
【請求項１６】
前記ディスペンサキャップの上面が、前記第２安定形態にあるときに前記キャップ閉塞デバイスが回転することを防止するための規制手段を備え、
当該ディスペンサの前記キャップ閉塞デバイスが、好ましくは、前記上側キャップ閉塞部分の下面に複数の突出部を備え、
前記歯及び前記突出部が、互いに係合するように構成されており、それにより、前記第２安定形態にあるときに前記キャップ閉塞デバイスが回転することを防止することを特徴とする請求項１から１５のいずれか１項に記載のディスペンサ。
【請求項１７】
前記ディスペンサキャップが、当該ディスペンサキャップの前記上側開口端部内に１以上の突出部を備え、
１以上の前記突出部が、前記ディスペンサキャップが当該ディスペンサの前記キャップ閉塞デバイスによって閉塞されると、前記上側キャップ閉塞部分内の対応して形付けられた凹所と係合するように構成されていることを特徴とする請求項１から１６のいずれか１項に記載のディスペンサ。
【請求項１８】
物質源から分配された用量数に対応する当該ディスペンサの作動回数、または、物質源内に残存する用量数を表示するための用量カウンタをさらに備えることを特徴とする請求項９、１０から１７のいずれか１項に記載のディスペンサ。
【請求項１９】
当該ディスペンサの前記用量カウンタが、
第１印を有し、インクリメントごとに前記長手方向軸回りに回転可能な第１リング部材であって、前記第１印が計数を表示する、第１リング部材と、
第２印を有する第２リング部材あって、前記第１リング部材と同じ軸回りにインクリメントごとに回転可能であり、前記第２印が、計数を表示する、第２リング部材と、
前記第２リング部材を前記第１リング部材と解放可能に連結するための連結機構であって、連結すると前記第２及び第１リング部材を協働して回転させることを可能とし、かつ、連結していないと前記第２リング部材の独立した回転を可能とする、連結機構と、
を備え、
前記連結機構が、第１及び第２係合手段を備え、
前記第１係合手段が、前記軸に対して、径方向外側及び径方向内側に移動可能であることを特徴とする請求項１８に記載のディスペンサ。
【請求項２０】
規制機構を備える規制部材を備え、
前記規制機構が、前記軸回りの前記規制部材に対する前記第１リング部材の自由な回転を規制することを特徴とする請求項１９に記載のディスペンサ。
【請求項２１】
前記第２リング部材を回転させるための駆動機構、好ましくは爪−歯機構を備え、
前記駆動機構の少なくとも一部が、前記第２リング部材と一体化されていることを特徴とする請求項２０に記載のディスペンサ。
【請求項２２】
前記爪−歯機構が、
複数の歯と係合可能な第１及び第２爪、
を備え、
前記第１及び第２爪それぞれが、複数の前記歯のうちの１つと駆動係合する状態で係合するための駆動係合面と、複数の前記歯のうち１つをスライドして越えるためのスライド係合面と、を備え、
前記第１及び第２爪が、好ましくは、
前記第１爪が、前記駆動機構の計数ストローク中に、複数の前記歯のうちの１つと駆動係合する状態で係合し、
前記第２爪が、前記駆動機構の帰還ストローク中に、複数の前記歯のうちの１つと駆動係合する状態で係合する、
ように構成されていることを特徴とする請求項２１に記載のディスペンサ。
【請求項２３】
前記第１及び第２爪が、
前記第２爪が、前記駆動機構の計数ストローク中に、複数の前記歯のうちの１つを乗り越え、
前記第１爪が、前記駆動機構の帰還ストローク中に、複数の前記歯のうちの１つを乗り越える、
ように構成されていることを特徴とする請求項２２に記載のディスペンサ。
【請求項２４】
前記第１及び第２爪が、前記第２リング部材と一体化されており、
複数の前記歯が、カウンタ駆動体に配設されており、前記カウンタ駆動体が、前記接合部材に連結可能であり、前記第２リング部材の孔部内で往復移動可能に構成されており、
前記爪−歯機構が、前記第２リング部材の前記孔部内での前記カウンタ駆動体の往復移動が前記第２リング部材の回転移動を引き起こすように、構成されており、
前記駆動機構が、好ましくは、複数の前記歯と係合可能な第３及び第４爪を備え、
前記第３及び第４爪が、前記第１及び第２爪とは径方向反対側の表面において前記第１リング部材と一体であることを特徴とする請求項２２または２３に記載のディスペンサ。
【請求項２５】
前記本体が、前記本体内で前記カウンタ駆動体を案内するように構成されたカウンタ駆動体案内部を備え、それにより、前記カウンタ駆動体が前記長手方向軸で回転することを防止し、
前記カウンタ駆動体案内部が、好ましくは、前記本体から延在する突出部を備え、
前記突出部が、前記カウンタ駆動体に対応して形付けられた切込と協働するように構成されかつ形付けられていることを特徴とする請求項２４に記載のディスペンサ。
【請求項２６】
前記接合部材が、１以上のスロットを備え、
前記カウンタ駆動体が、前記接合部材と係合するための１以上の突出部を備え、それにより、前記接合部材及び前記カウンタ駆動体を連結していることを特徴とする請求項２４または２５に記載のディスペンサ。
【請求項２７】
一用量のガス状の、ガス中のまたは液滴状の物質を物質源から分配するためのディスペンサであって、
物質源を受けるための本体であって、マウスピースを有する、本体と、
前記本体の長手方向軸で移動するために前記本体内にスライド可能に配置され、物質源から一用量の物質を解放させる接合部材であって、物質源の注出口を受けるためのソケットを備える、接合部材と、
前記接合部材を前記本体の長手方向で移動させ、物質源から一用量の物質を解放させるためのディスペンサ駆動体であって、回動シャフト及び前記回動シャフトに配置されたカムを備え、当該ディスペンサ駆動体が、前記本体内に配設されており、それにより、前記回動シャフトの回転が前記カムを回転させて力を前記接合部材にかけさせ、そのため、前記接合部材を前記長手方向軸で移動させる、ディスペンサ駆動体と、
前記本体内にスライド可能に配設されたカムフォロワであって、基部及び前記基部から延在する十分に硬質な突出部を備え、前記突出部が、前記ディスペンサ駆動体と前記接合部材との間に配設されており、それにより、前記ディスペンサ駆動体の前記カムによって前記突出部にかけられた力が、前記カムフォロワを前記本体の前記長手方向でスライド可能に移動させて力を前記接合部材にかけさせ、そのため、一用量の物質を物質源から解放させる、カムフォロワと、
物質源から分配された用量数に対応する当該ディスペンサの作動回数、または、物質源内に残存する用量数を表示するための用量カウンタであって、
第１印を有し、インクリメントごとに前記軸回りに回転可能な第１リング部材であって、前記第１印が計数を表示する、第１リング部材と、
規制機構を備える規制部材と、
を備え、
前記規制機構が、前記第１リング部材に対して径方向で作用するように構成された係合部分を備え、前記第１リング部材に接触して前記第１リング部材が前記規制部材に対して前記軸回りに自由に回転することを規制する、用量カウンタと、
を備えることを特徴とするディスペンサ。
【請求項２８】
前記規制機構が、請求項２から８のいずれか１項で規定された規制機構である、かつ／または、
前記本体が、請求項１０で規定された本体である、かつ／または、
前記カムフォロワが、請求項１１で規定されたカムフォロワである、
ことを特徴とする請求項２７に記載のディスペンサ。
【請求項２９】
一用量のガス状の、ガス中のまたは液滴状の物質を物質源から分配するためのディスペンサであって、
物質源を受けるための本体であって、マウスピースを有する、本体と、
前記本体と係合可能な下側開口端部と上側開口端部であって当該上側開口端部を閉塞するためのキャップ閉塞デバイスを受けるための上側開口端部とを有する中空本体を備えるディスペンサキャップであって、前記上側開口端部が、係合可能部分を備える、ディスペンサキャップと、
キャップ閉塞デバイスであって、
前記ディスペンサキャップの前記上側開口端部と係合し、前記ディスペンサキャップの前記上側開口端部を閉塞するための上側キャップ閉塞部分と、
前記係合可能部分と係合し、前記キャップ閉塞デバイスを前記ディスペンサキャップに固定するための下側キャップ閉塞部分と、
前記上側キャップ閉塞部分及び前記下側キャップ閉塞部分を接続する双安定部分であって、当該双安定部分を伸長させる第１安定形態と当該双安定部分を折り畳む第２安定形態との間で切り替え可能である、双安定部分と、
を備え、
前記双安定部分が前記第２安定形態にあるときに、前記上側キャップ閉塞部分が、前記ディスペンサキャップの前記上側開口端部と係合し、前記ディスペンサキャップを閉塞する、キャップ閉塞デバイスと、
物質源から分配された用量数に対応する当該ディスペンサの作動回数、または、物質源内に残存する用量数を表示するための用量カウンタであって、
第１印を有し、インクリメントごとに前記軸回りに回転可能な第１リング部材であって、前記第１印が計数を表示する、第１リング部材と、
規制機構を備える規制部材と、
を備え、
前記規制機構が、前記第１リング部材に対して径方向で作用するように構成された係合部分を備え、前記第１リング部材に接触して前記第１リング部材が前記規制部材に対して前記軸回りに自由に回転することを規制する、用量カウンタと、
を備えることを特徴とするディスペンサ。
【請求項３０】
前記規制機構が、請求項２から８のいずれか１項で規定された規制機構である、かつ／または、
前記ディスペンサキャップ及び当該ディスペンサの前記キャップ閉塞デバイスが、請求項１２から１７のいずれか１項で規定されたディスペンサキャップ及びキャップ閉塞デバイスである、
ことを特徴とする請求項２９に記載のディスペンサ。
【請求項３１】
物質源をさらに備え、
前記物質源が、好ましくは、加圧型定量吸入器（ｐＭＤＩ）であることを特徴とする請求項１から３０のいずれか１項に記載のディスペンサ。